(57)【特許請求の範囲】
【請求項１】
ロール紙の片側を回転自在に収容する円弧状の第１のケースと、
前記ロール紙の他方の片側を回転自在に収容する円弧状の第２のケースと、
前記第１のケースと前記第２のケースとが、その両者の互いに接近する箇所に隙間をもって、前記ロール紙の紙幅方向に沿って並列に配置される円弧状の保持ケースと、
前記第１のケースと前記第２のケースとの間における前記隙間に対応する箇所に配置され、前記隙間を前記ロール紙の紙幅に応じて調整操作する隙間調整部材と、
を備え、
前記隙間は、前記第１のケースと前記第２のケースとの両者の円弧方向に沿って一方側から他方側に向かうに従って徐々に広く形成されており、
前記隙間調整部材は、前記隙間に沿ってスライド可能に配置され、そのスライド操作に応じて前記隙間の間隔を調整するスライド操作部を備えていることを特徴とするロール紙保持装置。
【請求項２】
前記第１のケースと前記第２のケースとが互いに接近する両者の各端部における縁部には、その各端部の円弧方向に沿ってそれぞれガイドレール部が設けられており、前記隙間調整部材は、前記ガイドレール部に沿ってそれぞれ移動して、前記第１のケースと前記第２のケースとを接離方向に移動させるための一対のガイド部を備えていることを特徴とする請求項１に記載のロール紙保持装置。
【請求項３】
前記第１のケースと前記第２のケースとを互いに接近する方向に付勢する付勢部材を備えていることを特徴とする請求項１に記載のロール紙保持装置。
【請求項４】
前記隙間調整部材は、前記隙間に対応する箇所の前記保持ケースに回転自在に設けられた回転体と、この回転体を回転操作する回転操作部と、この回転操作部の回転操作による前記回転体の回転動作に応じて前記第１のケースと前記第２のケースとにそれぞれ設けられた一対の突起部を接離方向に移動させるための一対のガイド部とを備えていることを特徴とする請求項１に記載のロール紙保持装置。
【請求項５】
前記隙間調整部材を前記保持ケースに対する任意の位置に位置規制する位置規制部を備えていることを特徴とする請求項１〜請求項４のいずれかに記載のロール紙保持装置。
【発明の詳細な説明】
【技術分野】
【０００１】
この発明は、プリンタに用いられるロール紙を回転自在に保持するロール紙保持装置に関する。
【背景技術】
【０００２】
従来、プリンタのロール紙保持装置においては、特許文献１に記載されているように、ロール紙を回転自在に保持する際に、ロール紙の紙幅の中心を予め定められた定位置にセットするために、ロール紙の芯部に挿入する保持軸を備え、この保持軸の一端部にガイド板を設け、保持軸の他端部にスライドガイド板を設けた構成のものが知られている。
【先行技術文献】
【特許文献】
【０００３】
【特許文献１】特開２００６−３１５７９１号公報
【０００４】
この種のロール紙保持装置は、ロール紙の紙幅が狭いときに保持軸の一端部に設けられたガイド板とロール紙との間にスペーサを介在させた状態で、スライドガイド板をスライドさせて位置調整することにより、ロール紙の紙幅の中心を保持軸の定位置にセットし、またロール紙の紙幅が広いときには、スペーサを取り外して、スライドガイド板をスライドさせて位置調整することにより、ロール紙の紙幅の中心を保持軸の定位置にセットするように構成されている。
【発明の概要】
【発明が解決しようとする課題】
【０００５】
しかしながら、このような従来のロール紙保持装置では、ロール紙の紙幅の中心を保持軸の定位置にセットするために、別部品であるスペーサを用いてロール紙の紙幅を調整する構成であるから、ロール紙の紙幅に応じてスペーサを交換しなければならず、その交換作業が面倒で、部品点数が多くなるばかりか、別部品であるスペーサを紛失しないように管理しなければならないなどの問題がある。
【０００６】
この発明が解決しようとする課題は、ロール紙の紙幅に応じて部品を交換する必要がなく、ロール紙の紙幅が異なっても、ロール紙の紙幅の中心を定位置に容易に且つ正確にセットすることができるロール紙保持装置を提供することである。
【課題を解決するための手段】
【０００７】
この発明は、上記課題を解決するために、次のような構成要素を備えている。
請求項１に記載の発明は、ロール紙の片側を回転自在に収容する円弧状の第１のケースと、前記ロール紙の他方の片側を回転自在に収容する円弧状の第２のケースと、前記第１のケースと前記第２のケースとが、その両者の互いに接近する箇所に隙間をもって、前記ロール紙の紙幅方向に沿って並列に配置される円弧状の保持ケースと、前記第１のケースと前記第２のケースとの間における前記隙間に対応する箇所に配置され、前記隙間を前記ロール紙の紙幅に応じて調整操作する隙間調整部材と、を備え、前記隙間は、前記第１のケースと前記第２のケースとの両者の円弧方向に沿って一方側から他方側に向かうに従って徐々に広く形成されており、前記隙間調整部材は、前記隙間に沿ってスライド可能に配置され、そのスライド操作に応じて前記隙間の間隔を調整するスライド操作部を備えていることを特徴とするロール紙保持装置である。
【発明の効果】
【００１３】
この発明によれば、ロール紙の片側を回転自在に収容する円弧状の第１のケースと、ロール紙の他方の片側を回転自在に収容する円弧状の第２のケースとの間に位置する隙間を、隙間調整部材の調整操作によってロール紙の紙幅に応じて調整することにより、第１のケースと第２のケースとの両者の全長をロール紙の紙幅に応じて調整することができる。このため、ロール紙の紙幅に応じて部品を交換する必要がなく、ロール紙の紙幅が異なっても、ロール紙の紙幅の中心を定位置に容易に且つ正確にセットすることができる。
【図面の簡単な説明】
【００１４】
【図１】この発明を携帯端末機に適用した実施形態１を示した斜視図である。
【図２】図１の携帯端末機に搭載されたプリンタ部のプリンタカバーを取り外した状態を示した斜視図である。
【図３】図２のロール紙保持装置を示した拡大斜視図である。
【図４】図３のロール紙保持装置における保持ケースを示した拡大斜視図である。
【図５】図３のロール紙保持装置における第２のケースを裏面側から見た拡大斜視図である。
【図６】図３のロール紙保持装置における隙間調整部材を示した拡大斜視図である。
【図７】図３のＡ−Ａ矢視における拡大断面図である。
【図８】この発明を携帯端末機に適用した実施形態２のロール紙保持装置を示した拡大斜視図である。
【図９】図８のロール紙保持装置における保持ケースを示した拡大斜視図である。
【図１０】図８のＢ−Ｂ矢視における拡大断面図である。
【図１１】図８のロール紙保持装置における第２のケースを裏面側から見た拡大斜視図である。
【図１２】図８のロール紙保持装置における隙間調整部材を示した拡大斜視図である。
【図１３】図８のＣ−Ｃ矢視における拡大断面図である。
【図１４】この発明の実施形態１、２におけるロール紙保持装置の変形例を示した拡大斜視図である。
【図１５】図１４のロール紙保持装置における第２のケースを裏面側から見た拡大斜視図である。
【図１６】図１４のロール紙保持装置における隙間調整部材を示した拡大平面図である。
【図１７】この発明を携帯端末機に適用した実施形態３のロール紙保持装置を示した拡大斜視図である。
【図１８】図１７のロール紙保持装置における保持ケースを示した拡大斜視図である。
【図１９】図１７のロール紙保持装置における第２のケースを裏面側から見た拡大斜視図である。
【図２０】図１７のロール紙保持装置における隙間調整部材を示した拡大平面図である。
【図２１】図１７のＤ−Ｄ矢視における拡大断面図である。
【図２２】この発明の実施形態３におけるロール紙保持装置の変形例において隙間調整部材を示した拡大平面図である。
【図２３】図２２の変形例における保持ケースを示した拡大斜視図である。
【発明を実施するための形態】
【００１５】
（実施形態１）
以下、図１〜図７を参照して、この発明を携帯端末機に適用した実施形態１について説明する。
この携帯端末機は、ＰＤＡ（パーソナル・デジタル・アシスタント）であり、図１および図２に示すように、機器本体１を備えている。この機器本体１は、全体がほぼ長方形の箱状に形成されている。この機器本体１の上面には、入力表示部２とキー入力部３とが設けられており、この機器本体１の長手方向における一端部（図１では上端部）には、プリンタ部４が設けられている。
【００１６】
入力表示部２は、透明なタッチパネルの下に表示パネルを重ね合わせたものであり、透明なタッチパネルを通して表示パネルに表示された情報が見え、この状態で透明なタッチパネルをタッチペンでタッチ操作することにより、情報を入力するように構成されている。また、キー入力部３は、テンキー、決定キーなどの各種のキーを備え、この各種のキーをキー操作することにより、そのキー操作に応じた情報を入力するように構成されている。
【００１７】
プリンタ部４は、入力表示部２に表示された情報をキー入力部３のキー操作またはタッチペンによるタッチパネルのタッチ操作に応じてロール紙５（図３参照）に印刷するものであり、図１および図２に示すように、ロール紙５に情報を印刷する印字部６と、ロール紙５を保持するロール紙保持装置７とを備え、これらがプリンタカバー４ａによって覆われた構成になっている。印字部６は、機器本体１の入力表示部２に表示された情報をロール紙５に順次印刷するように構成されている。ロール紙保持装置７は、ロール紙５を回転自在に保持して印字部６の印刷動作に応じて順次印字部６に送り込むように構成されている。
【００１８】
このロール紙保持装置７は、図３に示すように、ロール紙５の片側（図３では左側）を回転自在に収容する半円筒状の第１のケース８と、ロール紙５の他方の片側（図３では右側）を回転自在に収容する半円筒状の第２のケース９と、第１のケース８と第２のケース９とが、その両者の互いに接近する箇所に隙間Ｓをもって、ロール紙５の紙幅（Ｗ）方向に並列に配置される半円筒状の保持ケース１０と、第１のケース８と第２のケース９との間の隙間Ｓに対応する保持ケース１０に隙間Ｓをロール紙５の紙幅Ｗに応じて調整操作可能に配置された隙間調整部材１１とを備えている。
【００１９】
この場合、保持ケース１０は、図３および図４に示すように、半円筒状に形成され、その両端部に半円形状の側壁１０ａがそれぞれ形成されている。この保持ケース１０の内面には、隙間調整部材１１が挿入して円弧方向に沿って移動するためのスライド溝１２が、第１のケース８と第２のケース９との間に位置する隙間Ｓに対応して帯状に設けられている。第１のケース８は、図３に示すように、半円筒状に形成され、その一端部（図３では左端部）に側壁８ａが形成され、保持ケース１０内の左側に配置されている。第２のケース９は、半円筒状に形成され、その一端部（図３では右端部）に側壁９ａが形成され、保持ケース１０内の右側に配置されている。
【００２０】
この第１のケース８と第２のケース９とは、図３に示すように、その両者が互いに接近する各端部８ｂ、９ｂが、保持ケース１０の中間部に設けられたスライド溝１２に対応する状態で、配置されている。また、第１のケース８の端部８ｂと第２のケース９の端部９ｂとの間に設けられた隙間Ｓは、図３に示すように、保持ケース１０のスライド溝１２に対応した状態で、第１のケース８と第２のケース９との両者の円弧方向に沿って一方側（図３では手前の下辺側）から他方側（図３では上辺側）に向かうに従って徐々に広く形成されている。
【００２１】
この場合、第１のケース８と第２のケース９との各端部８ｂ、９ｂにおける縁部の外周面には、図５に示すように、ガイドレール溝１３（図５では第２のケース９側のガイドレール溝１３のみを示す）がそれぞれ設けられている。このガイドレール溝１３は、第１のケース８と第２のケース９との円弧方向における隙間Ｓの中間部から隙間Ｓが徐々に広がる方向（図５では上辺側）に向けて各端部８ｂ、９ｂに沿って設けられている。
【００２２】
隙間調整部材１１は、図６および図７に示すように、保持ケース１０のスライド溝１２内にスライド可能に配置される平板状の駒本体１４と、この駒本体１４上に設けられて隙間Ｓ内をスライドするスライド操作部１５と、駒本体１４上におけるスライド操作部１５の両側に位置する箇所に設けられて第１のケース８と第２のケース９との各ガイドレール溝１３内を移動する一対のガイド突起部１６とを備えている。
【００２３】
この場合、スライド操作部１５は、図６および図７に示すように、第１のケース８と第２のケース９との間に位置する隙間Ｓが徐々に狭くなる方向に向けて次第に細くなるほぼ楔形状に形成され、その両側面に第１のケース８と第２のケース９との各端部８ｂ、９ｂが接触した状態で隙間Ｓ内をスライドするように構成されている。また、一対のガイド突起部１６は、ガイドレール溝１３の溝幅と同じ幅の細長い帯状の突条に形成され、スライド操作部１５の両側面と平行に設けられている。
【００２４】
この一対のガイド突起部１６は、図３および図７に示すように、ガイドレール溝１３が第１のケース８と第２のケース９との円弧方向における隙間Ｓの中間部から隙間Ｓが徐々に広がる方向に向けて設けられていることにより、第１のケース８と第２のケース９との円弧方向における隙間Ｓの中間部と隙間Ｓの最も広い部分との間を移動するように構成されている。このため、隙間調整部材１１は、第１のケース８と第２のケース９との円弧方向における隙間Ｓの中間部と隙間Ｓの最も広い部分との間を移動するように構成されている。
【００２５】
これにより、隙間調整部材１１は、図３および図７に示すように、スライド操作部１５を第１のケース８と第２のケース９との円弧方向における隙間Ｓの中間部と隙間Ｓの最も広い部分との間で、図３に示す矢印Ｘ１、Ｘ２方向にスライドさせると、これに伴って一対のガイド突起部１６が第１のケース８と第２のケース９との各ガイドレール溝１３に沿ってそれぞれ移動することにより、第１のケース８と第２のケース９との隙間Ｓが徐々に変化し、第１のケース８と第２のケース９とを互いに接離方向（図３の矢印Ｙ１、Ｙ２方向）に移動させるように構成されている。
【００２６】
次に、このロール紙保持装置７にロール紙５を収納する場合について説明する。
まず、紙幅Ｗの広いロール紙５を装着する場合について説明する。この場合には、図３に示すように、隙間調整部材１１の駒本体１４を第１のケース８と第２のケース９との円弧方向における隙間Ｓが狭くなる方向（図３の矢印Ｘ２方向）に向けて移動させる。このときには、第１のケース８と第２のケース９との間に位置する隙間Ｓから露出した駒本体１４のスライド操作部１５を、隙間Ｓに沿って第１のケース８と第２のケース９との円弧方向における隙間Ｓの中間部に向けて移動させる。
【００２７】
すると、駒本体１５の一対のガイド突起部１６が第１のケース８と第２のケース９との各ガイドレール溝１３に沿ってそれぞれ図３の矢印Ｘ２方向に移動することにより、第１のケース８と第２のケース９との隙間Ｓが徐々に広くなると共に、第１のケース８と第２のケース９とが互いに離れる方向（図３の矢印Ｙ２方向）に移動する。これにより、第１のケース８と第２のケース９とにおけるロール紙５の紙幅方向の全長Ｌが長くなり、紙幅Ｗの広いロール紙５を収容することができる。
【００２８】
この場合には、紙幅Ｗの広いロール紙５の紙幅（Ｗ）方向における中心を、保持ケース１０の軸方向における中心である定位置に一致させた状態で、ロール紙５を第１のケース８と第２のケース９との両者の内部に収容することができる。このときには、第１のケース８と第２のケース９とは、図３に示すように、それぞれ半円筒状に形成されているので、第１のケース８と第２のケース９との両者に亘ってロール紙５を挿入するだけで、簡単にロール紙５をガタつくことなく、第１のケースと第２のケース９との内部に密接させて回転自在に収容することができる。
【００２９】
次に、紙幅Ｗの狭いロール紙５を装着する場合について説明する。この場合には、図３に示すように、隙間調整部材１１の駒本体１４を第１のケース８と第２のケース９との円弧方向における隙間Ｓが徐々に広くなる方向（図３の矢印Ｘ１方向）に向けて移動させる。このときにも、第１のケース８と第２のケース９との間に位置する隙間Ｓから露出した駒本体１４のスライド操作部１５を隙間Ｓに沿って隙間Ｓが徐々に広くなる方向に向けて移動させる。
【００３０】
すると、駒本体１５の一対のガイド突起部１６が第１のケース８と第２のケース９との各ガイドレール溝１３に沿ってそれぞれ図３の矢印Ｘ１方向に移動することにより、第１のケース８と第２のケース９との隙間Ｓが徐々に狭くなると共に、第１のケース８と第２のケース９とが互いに接近する方向（図３の矢印Ｙ１方向）に移動する。これにより、第１のケース８と第２のケース９とにおけるロール紙５の紙幅方向の全長Ｌが短くなり、紙幅Ｗの狭いロール紙５を収容することができる。
【００３１】
この場合にも、紙幅Ｗの狭いロール紙５の紙幅（Ｗ）方向における中心を、保持ケース１０の軸方向における中心である定位置に一致させた状態で、ロール紙５を第１のケース８と第２のケース９との両者の内部に収容することができる。このときにも、第１のケース８と第２のケース９とは、図３に示すように、それぞれ半円筒状に形成されているので、第１のケース８と第２のケース９との両者に亘ってロール紙５を挿入するだけで、簡単にロール紙５をガタつくことなく、第１のケース８と第２のケース９との内部に密接させて回転自在に収容することができる。
【００３２】
このように、この携帯端末機のロール紙保持装置７によれば、ロール紙５の左側半分を回転自在に収容する半円筒状の第１のケース８と、ロール紙５の右側半分を回転自在に収容する半円筒状の第２のケース９との間に設けられた隙間Ｓを、隙間調整部材１１のスライド操作によってロール紙５の紙幅Ｗに応じて調整することにより、第１のケース８と第２のケース９との両者の全長Ｌをロール紙５の紙幅Ｗに応じて調整することができる。
【００３３】
このため、ロール紙５の紙幅Ｗが異なっていても、ロール紙５の紙幅Ｗの中心を、保持ケース１０の軸方向における中心である定位置に一致させた状態で容易に且つ正確にセットすることができると共に、構造が簡単で、コンパクトに構成することができる。また、ロール紙５の紙幅Ｗに応じてオプションとしての部品を用意して交換する必要がないため、部品点数が少なく、調整作業が容易にできるほか、オプションとしての部品やその部品管理が不要となり、且つその部品を紛失したりすることもないので、使い勝手の良いものを提供することができる。
【００３４】
この場合、第１のケース８と第２のケース９との間の隙間Ｓは、第１のケース８と第２のケース９との両者の円弧方向に沿って一方側（図３では中間部）から他方側（図３の上辺側）に向かうに従って徐々に広く形成されており、隙間調整部材１１は、隙間Ｓに第１のケース８と第２のケース９との両者の円弧方向に沿ってスライド可能に配置されたスライド操作部１５を備えているので、このスライド操作部１５を隙間Ｓに沿って移動させることにより、その移動量に応じて隙間Ｓの間隔を正確に且つ微妙に調整することができる。
【００３５】
また、第１のケース８と第２のケース９とが互いに接近する両者の各縁部８ｂ、９ｂには、その円弧方向に沿ってそれぞれガイドレール溝１３が設けられており、隙間調整部材には、ガイドレール溝１３に沿ってそれぞれ移動する一対のガイド突起部１６が設けられているので、スライド操作部１５を隙間Ｓに沿って移動させると、これに伴って一対のガイド突起部１６が第１のケース８と第２のケース９との各ガイドレール溝１３に沿って移動することにより、一対のガイド突起部１６の移動に応じて第１のケース８と第２のケース９とを接離方向に確実に移動させることができる。
【００３６】
すなわち、このロール紙保持装置７では、隙間調整部材１１を第１のケース８と第２のケース９との隙間Ｓが徐々に狭くなる方向（図３の矢印Ｘ２方向）に向けて移動させると、スライド操作部１５と一対のガイド突起部１６とによって第１のケース８と第２のケース９とを互いに離れる方向（図３の矢印Ｙ２方向）に移動させて、第１のケース８と第２のケース９との隙間Ｓを徐々に押し広げるので、第１のケース８と第２のケース９との全長Ｌを長くことができ、これにより紙幅Ｗの広いロール紙５を収容することができる。
【００３７】
また、隙間調整部材１１を第１のケース８と第２のケース９との隙間Ｓが徐々に広くなる方向（図３の矢印Ｘ１方向）に向けて移動させると、スライド操作部１５と一対のガイド突起部１６とによって第１のケース８と第２のケース９とを互いに接近する方向（図３の矢印Ｙ１方向）に移動させて、第１のケース８と第２のケース９との隙間Ｓを徐々に狭くするので、第１のケース８と第２のケース９とにおけるロール紙５の紙幅方向の全長Ｌを短くことができ、これにより紙幅Ｗの狭いロール紙５を収容することができる。
【００３８】
この場合、ロール紙５の紙幅Ｗが、例えば８２．５５ｍｍと８０ｍｍとの２種類で、両者の差が２．５５ｍｍと少なく、片側のみの差が１．２７５ｍｍであっても、隙間調整部材１１を第１のケース８と第２のケース９との間の隙間Ｓに沿ってスライドさせるだけで、簡単に且つ正確に第１のケース８と第２のケース９との両者の全長Ｌをロール紙５の紙幅Ｗに応じて調整することができ、これによりロール紙５の紙幅Ｗが僅かに異なっていても、ロール紙５の紙幅Ｗの中心を、保持ケース１０の軸方向における中心である定位置に一致させた状態で容易に且つ正確にセットすることができる。
【００３９】
なお、上述した実施形態では、隙間調整部材１１の駒本体１４に一対のガイド突起部１６を設け、第１のケース８と第２のケース９との各端部８ｂ、９ｂにおける縁部にガイドレール溝１３をそれぞれ設けた場合について述べたが、これに限らず、例えば隙間調整部材１１の駒本体１４に一対のガイド溝を設け、第１のケース８と第２のケース９との各端部８ｂ、９ｂにおける縁部にガイドレール突起部をそれぞれ設けた構成であっても良い。
【００４０】
（実施形態２）
次に、図８〜図１３を参照して、この発明を携帯端末機のロール紙保持装置に適用した実施形態２について説明する。なお、図１〜図７に示された実施形態１と同一部分には同一符号を付して説明する。
この携帯端末機のロール紙保持装置２０は、第１のケース８と第２のケース９とを互いに接近する方向に付勢する一対のばね部材２１を備えた構成であり、これ以外は実施形態１とほぼ同じ構成になっている。
【００４１】
この場合、保持ケース１０は、実施形態１と同様、第１のケース８と第２のケース９とが、その両者の互いに接近する箇所に隙間Ｓをもって、ロール紙５の紙幅（Ｗ）方向に並列に配置される半円筒状に形成されている。また、この保持ケース１０の両端部には、半円形状の側壁１０ａがそれぞれ形成されているが、この保持ケース１０の内面における中間部、つまり第１のケース８と第２のケース９との間の隙間Ｓに対応する箇所には、実施形態１のスライド溝１２が設けられていない。
【００４２】
また、この保持ケース１０の両側に位置する各側壁１０ａの内面には、図９および図１０に示すように、ばね部材２１を収納するばね収納部１０ｂがそれぞれ設けられている。このばね部材２１は、図１０に示すように、板ばねであり、その一端部（図１０では上端部）が保持ケース１０のばね収納部１０ｂ内に固定され、他端部（図１０では下端部）が保持ケース１０のばね収納部１０ｂ内から弾力的に突出するように構成されている。
【００４３】
これにより、一対のばね部材２１は、図８および図１０に示すように、第１のケース８の側壁８ａにおける外面の中央部と、第２のケース９の側壁９８ａにおける外面の中央部とを、それぞれ弾力的に押圧して、第１のケース８と第２のケース９とを互いに接近する方向（図８の矢印Ｙ１方向）に付勢するように構成されている。この場合にも、第１のケース８の端部８ｂと第２のケース９の端部９ｂとの間には、図８に示すように、隙間調整部材２２のスライド操作部１５がスライドする隙間Ｓが設けられている。
【００４４】
この隙間Ｓも、実施形態１と同様、第１のケース８と第２のケース９との両者の円弧方向に沿って一方側（図８では手前の下辺側）から他方側（図８では上辺側）に向かうに従って徐々に広くなるように形成されている。この場合、第１のケース８と第２のケース９とにおける各端部８ｂ、９ｂの外周面には、図１１に示すように、スライド溝２３（図１１では第２のケース９側のスライド溝２３のみを示す）がそれぞれ設けられている。このスライド溝２３は、第１のケース８と第２のケース９との円弧方向における隙間Ｓの中間部から隙間Ｓが徐々に広がる方向に向けて各端部８ｂ、９ｂに沿って設けられている。
【００４５】
隙間調整部材２２は、図１２および図１３に示すように、第１のケース８と第２のケース９とに設けられたスライド溝２３内に移動可能に配置される平板状の駒本体２４と、この駒本体２４上に設けられて隙間Ｓ内に挿入するスライド操作部１５とを備えている。このスライド操作部１５は、実施形態１と同様、第１のケース８と第２のケース９との間に位置する隙間Ｓが徐々に狭くなる方向に向けて次第に細くなるほぼ楔形状に形成され、その両側面に第１のケース８と第２のケース９とにおける各端部８ｂ、９ｂが弾接した状態で隙間Ｓ内をスライドするように構成されている。
【００４６】
また、駒本体２４は、図１２および図１３に示すように、その両端部が第１のケース８と第２のケース９とにそれぞれ設けられたスライド溝２３内に配置された状態で、駒本体２４の下面が保持ケース１０の内面にスライド可能に押さえられている。この駒本体２４は、スライド溝２３が第１のケース８と第２のケース９との円弧方向における隙間Ｓの中間部から隙間Ｓが徐々に広がる方向に向けて設けられていることにより、第１のケース８と第２のケース９との円弧方向における隙間Ｓの中間部と隙間Ｓの最も広い部分との間を移動するように構成されている。
【００４７】
これにより、隙間調整部材２２は、図８および図１３に示すように、一対のばね部材２１のばね力によって第１のケース８の縁部８ｂと第２のケース９の縁部９ｂとがスライド操作部１５の両側面に押し付けられていることにより、スライド操作部１５を第１のケース８と第２のケース９との円弧方向における隙間Ｓの中間部と隙間Ｓの最も広い部分との間でスライドさせると、これに伴って駒本体２４の両端部が第１のケース８と第２のケース９との各スライド溝２３に沿ってそれぞれ移動し、隙間Ｓを徐々に変化させて、第１のケース８と第２のケース９とが互いに接離する方向に移動するように構成されている。
【００４８】
次に、このロール紙保持装置７にロール紙５を収納する場合について説明する。
まず、紙幅Ｗの広いロール紙５を装着する場合について説明する。この場合には、図８に示すように、隙間調整部材２２のスライド操作部１５を第１のケース８と第２のケース９との間の隙間Ｓが狭くなる方向（図３に示した矢印Ｘ２方向）に向けて移動させる。このときには、一対のばね部材２１のばね力によって第１のケース８の縁部８ｂと第２のケース９の縁部９ｂとがスライド操作部１５の両側面に押し付けられている。
【００４９】
このため、スライド操作部１５が第１のケース８と第２のケース９との間の隙間Ｓに沿って移動すると共に、駒本体２４の両端部が第１のケース８と第２のケース９との各スライド溝２３に沿って移動すると、スライド操作部１５の両側面によって第１のケース８の端部８ｂと第２のケース９の端部９ｂとが一対のばね部材２１のばね力に抗して互いに離れる方向（図８の矢印Ｙ２方向）に押し広げられる。これにより、第１のケース８と第２のケース９との隙間Ｓが徐々に広くなると共に、第１のケース８と第２のケース９とが互いに離れる方向に移動する。これにより、第１のケース８と第２のケース９との全長Ｌが長くなり、紙幅Ｗの広いロール紙５を収容することができる。
【００５０】
この場合には、紙幅Ｗの広いロール紙５の紙幅（Ｗ）方向における中心を、保持ケース１０の軸方向における中心である定位置に一致させた状態で、ロール紙５を第１のケース８と第２のケース９との両者の内部に収容することができる。このときにも、第１のケース８と第２のケース９とは、図８に示すように、それぞれ半円筒状に形成されているので、第１のケース８と第２のケース９との両者に亘ってロール紙５を挿入するだけで、簡単にロール紙５をガタつくことなく、第１のケースと第２のケース９との内部に密接させて回転自在に収容することができる。
【００５１】
次に、紙幅Ｗの狭いロール紙５を装着する場合について説明する。この場合には、図８に示すように、隙間調整部材２２のスライド操作部１５を第１のケース８と第２のケース９との間の隙間Ｓが徐々に広くなる方向（図３に示した矢印Ｘ１方向）に向けて移動させる。このときにも、一対のばね部材２１のばね力によって第１のケース８の縁部８ｂと第２のケース９の縁部９ｂとがスライド操作部１５の両側面に押し付けられている。
【００５２】
このため、スライド操作部１５が第１のケース８と第２のケース９との間の隙間Ｓに沿って移動すると共に、駒本体２４の両端部が第１のケース８と第２のケース９との各スライド溝２３に沿って移動する際に、第１のケース８の端部８ｂと第２のケース９の端部９ｂとが一対のばね部材２１のばね力によってスライド操作部１５の両側面に押し付けられながら、スライド操作部１５がスライドする。これにより、第１のケース８と第２のケース９との隙間Ｓが徐々に狭くなると共に、第１のケース８と第２のケース９とが互いに接近する方向（図８の矢印Ｙ１方向）に移動し、第１のケース８と第２のケース９との全長Ｌが短くなり、紙幅Ｗの狭いロール紙５を収容することができる。
【００５３】
この場合にも、紙幅Ｗの狭いロール紙５の紙幅（Ｗ）方向における中心を、保持ケース１０の軸方向における中心である定位置に一致させた状態で、ロール紙５を第１のケース８と第２のケース９との両者の内部に収容することができる。このときにも、第１のケース８と第２のケース９とは、図８に示すように、それぞれ半円筒状に形成されているので、第１のケース８と第２のケース９との両者に亘ってロール紙５を挿入するだけで、簡単にロール紙５をガタつくことなく、第１のケース８と第２のケース９との内部に密接させて回転自在に収容することができる。
【００５４】
このように、この携帯端末機のロール紙保持装置２０によれば、実施形態１と同様、第１のケース８と第２のケース９との間の隙間Ｓを、隙間調整部材２２のスライド操作によってロール紙５の紙幅Ｗに応じて調整することにより、第１のケース８と第２のケース９との両者の全長Ｌをロール紙５の紙幅Ｗに応じて調整することができる。
【００５５】
このため、ロール紙５の紙幅Ｗが異なっていても、実施形態１と同様、ロール紙５の紙幅Ｗの中心を、保持ケース１０の軸方向における中心である定位置に一致させた状態で容易に且つ正確にセットすることができると共に、構造が簡単で、コンパクトに構成することができる。また、ロール紙５の紙幅Ｗに応じてオプションとしての部品を用意して交換する必要がないため、部品点数が少なく、調整作業が容易にできるほか、オプションとしての部品やその部品管理が不要となり、且つその部品を紛失したりすることもないので、使い勝手の良いものを提供することができる。
【００５６】
この場合、第１のケース８と第２のケース９との間の隙間Ｓは、第１のケース８と第２のケース９との両者の円弧方向に沿って一方側から他方側に向かうに従って徐々に広く形成されており、隙間調整部材２２は、隙間Ｓに第１のケース８と第２のケース９との両者の円弧方向に沿ってスライド可能に配置されたスライド操作部１５を備えているので、実施形態１と同様、スライド操作部１５を隙間Ｓに沿って移動させることにより、その移動量に応じて隙間Ｓの間隔を正確に且つ微妙に調整することができる。
【００５７】
また、このロール紙保持装置２０では、保持ケース１０の両側に位置する各側壁１０ａの内面にそれぞればね部材２１を設け、このばね部材２１によって第１のケース８と第２のケース９とが互いに接近する方向に付勢されているので、隙間調整部材２３にスライド操作部１５のみを設け、このスライド操作部１５を第１のケース８と第２のケース９との間の隙間Ｓに挿入させて、スライド操作部１５を隙間Ｓに沿って移動させる構成であるから、隙間調整部材２３の構造が簡単で、第１のケース８と第２のケース９とを接離方向に正確に移動させることができる。
【００５８】
すなわち、このロール紙保持装置２０では、隙間調整部材２３を第１のケース８と第２のケース９との隙間Ｓが徐々に狭くなる方向に向けて移動させると、一対のばね部材２１のばね力に抗して第１のケース８と第２のケース９との隙間Ｓがスライド操作部１５によって徐々に押し広げられるので、第１のケース８と第２のケース９とが互いに離れる方向に移動し、第１のケース８と第２のケース９との全長Ｌを長くことができ、これにより紙幅Ｗの広いロール紙５を収容することができる。
【００５９】
また、隙間調整部材２３のスライド操作部１５を第１のケース８と第２のケース９との隙間Ｓが徐々に広くなる方向に向けて移動させると、一対のばね部材２１のばね力によって第１のケース８の縁部８ｂと第２のケース９の縁部９ｂとがスライド操作部１５の両側面に押し付けられるので、スライド操作部１５のスライドに伴って第１のケース８と第２のケース９とを互いに接近する方向に移動させて、第１のケース８と第２のケース９との隙間Ｓを徐々に狭くすることができ、第１のケース８と第２のケース９とにおけるロール紙５の紙幅方向の全長Ｌを短くことができ、これにより紙幅Ｗの狭いロール紙５を収容することができる。
【００６０】
この場合においても、ロール紙５の紙幅Ｗが、例えば８２．５５ｍｍと８０ｍｍとの２種類で、両者の差が２．５５ｍｍと少なく、片側のみの差が１．２７５ｍｍであっても、隙間調整部材２３を第１のケース８と第２のケース９との間の隙間Ｓに沿ってスライドさせるだけで、簡単に且つ正確に第１のケース８と第２のケース９との両者の全長Ｌをロール紙５の紙幅Ｗに応じて調整することができ、これによりロール紙５の紙幅Ｗが僅かに異なっていても、ロール紙５の紙幅Ｗの中心を、保持ケース１０の軸方向における中心である定位置に一致させた状態で容易に且つ正確にセットすることができる。
【００６１】
なお、上述した実施形態２では、保持ケース１０の両側に位置する各側壁１０ａの内面に一対のばね部材２１を設けた場合について述べたが、これに限らず、第１のケース８の側壁８ａの外面と第２のケース９の側壁９ａの外面とに一対のばね部材２１を設け、この一対のばね部材２１で保持ケース１０の両側に位置する各側面１０ａを弾力的に押すように構成しても良い。また、ばね部材２１は、板ばねである必要はなく、コイルばねであっても良い。
【００６２】
また、上述した実施形態２およびその変形例では、保持ケース１０の両側に位置する各側壁１０ａと第１、第２の各ケース８、９の各側壁８ａ、９ａとの間にそれぞればね部材２１を設けた場合について述べたが、これに限らず、第１のケース８と第２のケース９とにその両者を互いに引き寄せるためのばね部材を設けた構成でも良い。この場合には、保持ケース１０の内面に、ばね部材を逃がすためのばね逃がし凹部またはばね逃がし孔を設ければ良い。
【００６３】
さらに、上述した実施形態１、２およびその変形例では、隙間調整部材１１、２２のスライド操作部１５が第１のケース８と第２のケース９との間の隙間Ｓに沿ってスライドするだけの構成である場合について述べたが、これに限らず、例えば図１４〜図１６に示す変形例のロール紙保持装置３０のように、隙間調整部材３１を保持ケース１０に対する任意の位置に位置規制するように構成しても良い。
【００６４】
この場合、図１４〜図１６では、実施形態２のロール紙保持装置２０の構造に適用した場合を示している。この変形例のロール紙保持装置３０は、隙間調整部材３１のスライド操作部１５の両側面に一対の弾性突起部３２を設け、第１のケース８と第２のケース９とが互いに対向する各端部８ｂ、９ｂに弾性突起部３２が係脱可能に係合する多数の係合凹部３３を隙間Ｓに沿って設けた構成になっている。
【００６５】
このようなロール紙保持装置３０によれば、隙間調整部材３１のスライド操作部１５を隙間Ｓに沿ってスライドさせると、一対の弾性突起部３２が第１のケース８と第２のケース９との各端部８ｂ、９ｂに設けられた多数の係合凹部３３のいずれかに順次係脱可能に係合するので、隙間調整部材３１を保持ケース１０に対する任意の位置に位置規制することができ、これにより第１のケース８と第２のケース９との全長Ｌを所望する長さに安定させて保持することができる。
【００６６】
（実施形態３）
次に、図１７〜図２１を参照して、この発明を携帯端末機のロール紙保持装置に適用した実施形態３について説明する。この場合にも、図１〜図７に示された実施形態１と同一部分に同一符号を付して説明する。
このロール紙保持装置４０は、図１７に示すように、第１のケース８と第２のケース９との間の隙間Ｓに対応する箇所の保持ケース１０に隙間調整部材４１を回転自在に設けた構成であり、これ以外は実施形態１とほぼ同じ構成になっている。
【００６７】
すなわち、保持ケース１０の内面におけるほぼ中央部には、図１７および図１８に示すように、隙間調整部材４１を収容する円形状の収納凹部４２が、第１のケース８と第２のケース９との間の隙間Ｓに対応して設けられている。また、第１のケース８と第２のケース９とが互いに対向する各端部８ｂ、９ｂは、図１７に示すように、円弧方向に沿って互いに平行に形成されている。
【００６８】
これにより、第１のケース８と第２のケース９との間の隙間Ｓは、図１７に示すように、第１のケース８と第２のケース９との各円弧方向に沿って一定の間隔に形成されている。また、第１のケース８と第２のケース９とが互いに対向する各端部８ｂ、９ｂにおける外周面には、図１９に示すように、一対の突起ピン４３が、第１のケース８と第２のケース９との各円弧方向におけるほぼ中間部に位置して設けられている。
【００６９】
隙間調整部材４１は、図１７、図２０および図２１に示すように、保持ケース１０の収納凹部４２内に回転自在に配置される回転駒本体４４と、この回転駒本体４４の中心部に設けられた回転操作部４５と、回転駒本体４４に設けられて第１のケース８と第２のケース９との一対の突起ピン４３を回転操作部４５の回転操作に応じて接離方向に移動させるための一対のガイド溝４６とを備えている。
【００７０】
この場合、回転操作部４５は、図１７、図２０および図２１に示すように、回転駒本体４４と共に保持ケース１０の収納凹部４２内に回転自在に配置された状態で、第１のケース８と第２のケース９との間の隙間Ｓに対応し、第１のケース８と第２のケース９との内側に露出するように構成されている。また、この回転操作部４５は、ドライバーなどの工具が挿入する操作溝４５ａが設けられ、この操作溝４５ａに工具を挿入して回すことにより、回転駒本体４４を回転させるように構成されている。
【００７１】
一対のガイド溝４６は、図２０に示すように、回転駒本体４４における回転操作部４５の外周部から回転駒本体４４の外周部に向けて湾曲して形成された螺旋状または楕円状に形成されている。また、この一対のガイド溝４６は、回転駒本体４４に点対称に形成され、第１のケース８の突起ピン４３と第２のケース９の突起ピン４３とが点対称な状態で移動可能に挿入されるように構成されている。
【００７２】
これにより、隙間調整部材４１は、図１７、図２０および図２１に示すように、一対の突起ピン４３が一対のガイド溝４６における回転操作部４５に接近する各端部４６ａに位置している状態のときに、第１のケース８と第２のケース９とを最も接近させて、隙間Ｓの間隔を狭くし、また一対の突起ピン４３が一対のガイド溝４６における回転駒本体４４の外周部に接近している位置のときに、第１のケース８と第２のケース９とを最も離して、隙間Ｓの間隔を広くするように構成されている。
【００７３】
すなわち、この隙間調整部材４１は、図１７、図２０および図２１に示すように、回転駒本体４４が回転すると、一対の突起ピン４３が一対のガイド溝４６に沿って相対的に移動しながら回転操作部４５に対して接離する方向（図１７の矢印Ｙ１、Ｙ２方向）に移動し、第１のケース８と第２のケース９とを接離させて、隙間Ｓを徐々に変化させるように構成されている。
【００７４】
次に、このロール紙保持装置４０にロール紙５を収納する場合について説明する。
まず、紙幅Ｗの広いロール紙５を装着する場合について説明する。この場合には、図１７および図２０に示すように、隙間調整部材４１の回転操作部４５を時計回り（図２０の矢印Ｚ１方向）に回転させる。すると、回転駒本体４４の回転に伴って一対のガイド溝４６が回転操作部４５を中心に時計回り（図２０の矢印Ｚ１方向）に回転移動する。
【００７５】
このときに、第１のケース８と第２のケース９とに設けられた一対の突起ピン４３が一対のガイド溝４６に沿って相対的に移動しながら回転操作部４５から離れる方向に移動する。これにより、第１のケース８と第２のケース９とが互いに離れる方向（図１７の矢印Ｙ２方向）に移動して、第１のケース８と第２のケース９との間の隙間Ｓが徐々に押し広げられる。このため、第１のケース８と第２のケース９との全長Ｌが長くなり、紙幅Ｗの広いロール紙５を収容することができる。
【００７６】
この場合には、紙幅Ｗの広いロール紙５の紙幅（Ｗ）方向における中心を、保持ケース１０の軸方向における中心である定位置に一致させた状態で、ロール紙５を第１のケース８と第２のケース９との両者の内部に収容することができる。このときには、第１のケース８と第２のケース９とは、図１７に示すように、それぞれ半円筒状に形成されているので、第１のケース８と第２のケース９との両者に亘ってロール紙５を挿入するだけで、簡単にロール紙５をガタつくことなく、第１のケースと第２のケース９との内部に密接させて回転自在に収容することができる。
【００７７】
次に、紙幅Ｗの狭いロール紙５を装着する場合について説明する。この場合には、図１７に示すように、隙間調整部材４１の回転操作部４５を反時計回りに回転させる。すると、回転駒本体４４の回転に伴って一対のガイド溝４６が回転操作部４５を中心に反時計回り（図２０の矢印Ｚ２方向）に回転移動し、これに伴って第１のケース８と第２のケース９とに設けられた一対の突起ピン４３が一対のガイド溝４６に沿って回転操作部４５に接近する方向に移動する。
【００７８】
これにより、第１のケース８と第２のケース９とが互いに接近する方向（図１７の矢印Ｙ１方向）に移動し、第１のケース８と第２のケース９との隙間Ｓが徐々に狭くなる。このため、第１のケース８と第２のケース９との全長Ｌが短くなり、紙幅Ｗの狭いロール紙５を良好に収容することができる。この場合にも、紙幅Ｗの狭いロール紙５の紙幅（Ｗ）方向における中心を、保持ケース１０の軸方向における中心である定位置に一致させた状態で、ロール紙５を第１のケース８と第２のケース９との両者の内部に収容することができる。
【００７９】
このときにも、第１のケース８と第２のケース９とは、図１７に示すように、それぞれ半円筒状に形成されているので、第１のケース８と第２のケース９との両者に亘ってロール紙５を挿入するだけで、簡単にロール紙５をガタつくことなく、第１のケース８と第２のケース９との内部に密接させて回転自在に収容することができる。
【００８０】
このように、このロール紙保持装置４０によれば、第１のケース８と第２のケース９との間の隙間Ｓを、隙間調整部材４１の回転操作によってロール紙５の紙幅Ｗに応じて調整することにより、実施形態１、２と同様、第１のケース８と第２のケース９との両者の全長Ｌをロール紙５の紙幅Ｗに応じて調整することができる。
【００８１】
このため、ロール紙５の紙幅Ｗが異なっていても、ロール紙５の紙幅Ｗの中心を、保持ケース１０の軸方向における中心である定位置に一致させた状態で容易に且つ正確にセットすることができると共に、構造が簡単で、コンパクトに構成することができる。また、ロール紙５の紙幅Ｗに応じてオプションとしての部品を用意して交換する必要がないため、部品点数が少なく、調整作業が容易にできるほか、オプションとしての部品やその部品管理が不要となり、且つその部品を紛失したりすることもないので、使い勝手の良いものを提供することができる。
【００８２】
この場合、隙間調整部材４１は、第１のケース８と第２のケース９との間の隙間Ｓに対応する箇所の保持ケース１０に回転自在に設けられた回転駒本体４４と、この回転駒本体４４を回転操作する回転操作部４５と、この回転操作部４５の回転操作による回転駒本体４４の回転動作に応じて第１のケース８と第２のケース９とにそれぞれ設けられた一対の突起ピン４３を接離方向に移動させるための一対のガイド溝４６とを備えているので、回転操作部４５によって回転駒本体４４を回転させるだけで、第１のケース８と第２のケース９との間の隙間Ｓを正確に且つ微妙に調整することができる。
【００８３】
すなわち、このロール紙保持装置４０では、回転操作部４５によって回転駒本体４４を回転させると、この回転に伴って一対のガイド溝４６が回転移動すると共に、この一対のガイド溝４６に沿って一対の突起ピン４３が相対的に移動することにより、一対の突起ピン４３を接離方向に移動させることができる。これにより、第１のケース８と第２のケース９との間の隙間Ｓを調整することができると共に、第１のケース８と第２のケース９との両者の全長Ｌをロール紙５の紙幅Ｗに応じて確実に調整することができる。
【００８４】
この場合、隙間調整部材４１の回転操作部４５を第１のケース８と第２のケース９との隙間Ｓが徐々に狭くなる反時計回り（図２０の矢印Ｚ２方向）に回転させると、一対のガイド溝４６が同方向（図２０の矢印Ｚ２方向）に回転移動して、一対の突起ピン４３を互いに接近する方向に移動させるので、第１のケース８と第２のケース９との隙間Ｓが徐々に狭くなり、第１のケース８と第２のケース９とが互いに接近する方向（図１７の矢印Ｙ１方向）に移動し、第１のケース８と第２のケース９との全長Ｌを短くことができ、これにより紙幅Ｗの狭いロール紙５を収容することができる。
【００８５】
また、隙間調整部材４１の回転操作部４５を第１のケース８と第２のケース９との隙間Ｓが徐々に広くなる時計回り（図２０の矢印Ｚ１方向）に回転させると、一対のガイド溝４６が同方向（図２０の矢印Ｚ１方向）に回転移動して、一対の突起ピン４３を互いに離れる方向に移動させるので、第１のケース８と第２のケース９との隙間Ｓが徐々に押し広げられることになり、第１のケース８と第２のケース９とが互いに離れる方向（図１７の矢印Ｙ２方向）に移動し、第１のケース８と第２のケース９との全長Ｌを長くことができ、これにより紙幅Ｗの広いロール紙５を収容することができる。
【００８６】
この場合にも、ロール紙５の紙幅Ｗが、例えば８２．５５ｍｍと８０ｍｍとの２種類で、両者の差が２．５５ｍｍと少なく、片側のみの差が１．２７５ｍｍであっても、隙間調整部材４１を回転させるだけで、簡単に且つ正確に第１のケース８と第２のケース９との両者の全長Ｌをロール紙５の紙幅Ｗに応じて調整することができ、これによりロール紙５の紙幅Ｗが僅かに異なっていても、ロール紙５の紙幅Ｗの中心を、保持ケース１０の軸方向における中心である定位置に一致させた状態で容易に且つ正確にセットすることができる。
【００８７】
なお、上述した実施形態３では、隙間調整部材４１の回転駒本体４４が保持ケース１０の収納凹部４２内に回転自在に配置されただけの構成である場合について述べたが、これに限らず、例えば図２２および図２３に示すロール紙保持装置５０の変形例のように、隙間調整部材４１の回転駒本体４４を保持ケース１０に対する任意の位置に位置規制するように構成しても良い。すなわち、この変形例のロール紙保持装置５０は、回転駒本体４４の外周面の所定箇所に弾性突起部５１を設け、保持ケース１０の収納凹部４２の内周面に弾性突起部５１が係脱可能に係合する複数の係合凹部５３を円弧方向に沿って設けた構成になっている。
【００８８】
このようなロール紙保持装置５０によれば、隙間調整部材４１の回転駒本体４４が回転操作部４５によって回転する際に、弾性突起部５１が収納凹部４２の複数の係合凹部５２のいずれかに順次係脱可能に係合するので、回転駒本体４４を保持ケース１０に対する任意の位置に位置規制することができ、これにより第１のケース８と第２のケース９との全長Ｌを所望する長さに安定させて保持することができる。
【００８９】
また、上述した実施形態１〜３およびその各変形例では、プリンタ部を備えた携帯端末機に適用した場合について述べたが、必ずしも携帯端末機である必要はなく、例えば電子レジスタなどのプリンタを備えた電子機器に広く適用することができる。
【符号の説明】
【００９０】
１  機器本体
４  プリンタ部
５  ロール紙
６  印字部
７、２０、３０、４０、５０  ロール紙保持装置
８  第１のケース
８ａ  第１のケースの側壁
８ｂ  第１のケースの端部
９  第２のケース
９ａ  第２のケースの側壁
９ｂ  第２のケースの端部
１０  保持ケース
１１、２２、３１、４１  隙間調整部材
１３  ガイドレール溝
１４  駒本体
１５  スライド操作部
１６  ガイド突起部
２１  ばね部材
３２、５１  弾性突起部
３３、５２  係合凹部
４２  収納凹部
４３  突起ピン
４４  回転駒本体
４５  回転操作部
４６  ガイド溝
Ｓ  第１、第２の各ケースの間の隙間
Ｗ  ロール紙の紙幅
Ｌ  第１のケースと第２のケースとの両者の全長
【図１】
0005448246.tif 000002
【図２】
0005448246.tif 000003
【図３】
0005448246.tif 000004
【図４】
0005448246.tif 000005
【図５】
0005448246.tif 000006
【図６】
0005448246.tif 000007
【図７】
0005448246.tif 000008
【図８】
0005448246.tif 000009
【図９】
0005448246.tif 000010
【図１０】
0005448246.tif 000011
【図１１】
0005448246.tif 000012
【図１２】
0005448246.tif 000013
【図１３】
0005448246.tif 000014
【図１４】
0005448246.tif 000015
【図１５】
0005448246.tif 000016
【図１６】
0005448246.tif 000017
【図１７】
0005448246.tif 000018
【図１８】
0005448246.tif 000019
【図１９】
0005448246.tif 000020
【図２０】
0005448246.tif 000021
【図２１】
0005448246.tif 000022
【図２２】
0005448246.tif 000023
【図２３】
0005448246.tif 000024